(57)【要約】【課題】ユーザが自分のお気に入りとなる施設を新たに見つけやすい施設情報表示装置を提供する。【解決手段】ユーザの行動範囲をもとにして定まるエリアに存在し、且つ、案内分岐点８０を通った後に入る進行可能道路９０を経路に含む施設であって、ユーザにとっての新規施設について、その新規施設と同じ施設ジャンルの施設と区別可能な特徴を表した施設特徴図形１０１を取得する。この施設特徴図形１０１を少なくとも一つ含んでいる方面情報図１００を進行可能道路別に作成し、現在位置が案内分岐点に基づいて定まる表示開始位置に到達したことに基づいて、方面情報図１００を、道路地図とともに表示部２０に表示する。【選択図】図６
2014106045.tif 000002
【特許請求の範囲】
【請求項１】
道路地図を表示する表示部（２０）と、
現在位置を取得する現在位置取得手段（４０  Ｓ１、Ｓ７）と、
前記現在位置取得手段が取得した現在位置と道路地図データとに基づいて、次に案内を行う案内分岐点を決定する案内分岐点決定手段（４０  Ｓ２）と、
ユーザの行動範囲をもとにして定まるエリアに存在し、且つ、前記案内分岐点を通った後に入る進行可能道路を経路に含む施設であって前記ユーザにとっての新規施設について、その新規施設と同じ施設ジャンルの施設と区別可能な特徴を表した施設特徴図形を取得する施設特徴図形取得手段（４０  Ｓ３、Ｓ４）と、
前記施設特徴図形を少なくとも一つ含んでいる方面情報図を、前記進行可能道路別に作成する方面情報図作成手段（４０  Ｓ５、Ｓ６）と、
現在位置が前記案内分岐点に基づいて定まる表示開始位置に到達したことに基づいて、前記方面情報図を、前記道路地図とともに前記表示部に表示する表示制御手段（４０  Ｓ８−Ｓ１０）とを備えることを特徴とする施設情報表示装置。
【請求項２】
請求項１において、
前記施設特徴図形取得手段（４０  Ｓ３１，Ｓ３２）は、ユーザの行動範囲をもとにして定まるエリアに存在し、且つ、前記進行可能道路を通った後、別の道路を経由して到達する施設を、前記施設特徴図形を取得する新規施設の一つとすることを特徴とする施設情報表示装置。
【請求項３】
請求項１または２の施設情報表示装置において、
前記施設特徴図形取得手段（４０  Ｓ３１）は、ユーザの行動範囲をもとにして定まるエリアを、ユーザの行動範囲、および、その行動範囲外であって行動範囲から予め設定してあるリンク数で到達できる行動範囲外のエリアとすることを特徴とする施設情報表示装置。
【請求項４】
請求項３において、
前記方面情報図作成手段（４０  Ｓ６）は、前記方面情報図に含ませる施設特徴図形に対応する新規施設が、ユーザの行動範囲外のエリアに位置する施設である場合には、その新規施設がユーザの行動範囲外のエリアに位置することが分かる態様で前記方面情報図を作成することを特徴とする施設情報表示装置。
【請求項５】
請求項３または４において、
前記方面情報図作成手段は、前記進行可能道路別に作成する方面情報図のうちのいずれか少なくとも一つに、ユーザの行動範囲外の施設に対する施設特徴図形を含ませるとともに、他の方面情報図には、ユーザの行動範囲外の施設に対する施設特徴図形を含ませない場合、ユーザの行動範囲外の施設に対する施設特徴図形を含ませる方面情報図と、ユーザの行動範囲外の施設に対する施設特徴図形を含ませない方面情報図で、新規施設についての施設特徴図形の数を異ならせることを特徴とする施設情報表示装置。
【請求項６】
請求項１〜５のいずれか１項において、
前記施設特徴図形取得手段（４０  Ｓ３４）は、前記ユーザが未訪問である施設を、前記ユーザにとっての新規施設の一つとして前記施設特徴図形を取得することを特徴とする施設情報表示装置。
【請求項７】
請求項１〜６のいずれか１項において、
前記施設特徴図形取得手段（４０  Ｓ３４）は、前記ユーザが訪問したことがある施設であるが、この施設において開始されたサービスおよび取り扱いが開始された商品の少なくとも一方が前記ユーザにとって新規である施設を、前記ユーザにとっての新規施設の一つとして前記施設特徴図形を取得することを特徴とする施設情報表示装置。
【請求項８】
請求項６において、
前記方面情報図作成手段は、前記方面情報図に、前記ユーザが未訪問である施設に対応する施設特徴図形よりも少ない数で、前記ユーザが訪問したことがある施設の図形を含ませることを特徴とする施設情報表示装置。
【請求項９】
請求項１〜８のいずれか１項において、
前記方面情報図作成手段は、前記方面情報図に、自宅および出発地の少なくとも一方の図形を含ませることを特徴とする施設情報表示装置。
【請求項１０】
請求項１〜９のいずれか１項において、
前記施設特徴図形取得手段（４０  Ｓ３６）は、渋滞道路を経由する必要がある施設は除外して前記施設特徴図形を取得することを特徴とする施設情報表示装置。
【請求項１１】
請求項１〜１０のいずれか１項において、
前記方面情報図作成手段は、前記方面情報図に含ませる施設特徴図形が新しくできた施設である場合には、そのことが分かる態様で前記方面情報図を作成することを特徴とする施設情報表示装置。
【請求項１２】
請求項１〜１１のいずれか１項において、
前記方面情報図作成手段は、前記方面情報図に含ませる施設特徴図形の大きさを、前記案内分岐点からの距離に基づいて決定することを特徴とする施設情報表示装置。
【発明の詳細な説明】
【技術分野】
【０００１】
本発明は、施設情報表示装置に関し、特に、道路地図とともに施設情報を表示する装置に関する。
【背景技術】
【０００２】
道路地図を表示することに加えて、施設に関する種々の情報を表示する施設情報表示装置が広く知られている。ナビゲーション装置と呼ばれている多くの装置は、上記施設情報表示装置としての機能を有する場合が多い。
【０００３】
ナビゲーション装置の中には、現在位置が交差点などの分岐点に近づいてきたときに、分岐点を通って進行可能な道路沿いにある複数の施設についての情報をまとめて表示する機能を備えたものも知られている（たとえば特許文献１）。
【０００４】
特許文献１では、現在位置が案内分岐点に近づいたときに、その案内分岐点から延びる進行可能道路沿いにある複数の施設の施設名称やその施設までの距離を示す数値が示された案内プレートを、道路地図上に表示している。
【先行技術文献】
【特許文献】
【０００５】
【特許文献１】特開２０１１−３３５４３号公報
【発明の概要】
【発明が解決しようとする課題】
【０００６】
一般に、自分の気に入った施設が増えることは嬉しいことであり、偶然行った施設が自分の好みに合致していると、非常に嬉しく感じられる。また、過去に行ったことのある施設でも、新たなサービスが始まっていたり、今まで扱われていなかった商品が扱われ始め、それによって、その施設が新たにお気に入りの施設となることもある。これもユーザにとって嬉しいことである。
【０００７】
特許文献１では、案内分岐点が近くなると前述の案内プレートが表示される。この案内プレートには、案内分岐点から延びる進行可能道路沿いにある複数の施設の施設名称が示されていることから、その進行可能道路を進行すれば案内プレートに示されている施設が存在することは分かる。
【０００８】
しかし、案内プレートによって文字情報である施設名称が示されても、その施設を知らないユーザにとって、施設名称からは、その施設がどういう施設かを判断することは困難である。施設名称（たとえば○○公園など）によっては施設ジャンルが分かる場合もあるが、同じジャンルの他の施設とどう違うかなどの具体的判断は、施設名称からではできない。そのため、特許文献１のナビゲーション装置を利用したとしても、自分のお気に入りとなる施設を新たに見つけることは容易ではない。
【０００９】
また、自分の行動範囲を大きく外れる範囲に存在する施設へ行こうとしている場合、予め計画を立てることが多い。新しくお気に入りとなる施設を探そうとしながら運転している場合には、自分の行動範囲かその行動範囲を少し外れる程度で施設を探そうと考えることが普通であり、行動範囲を大きく外れる施設までは意図しないのが普通である。
【００１０】
しかし、特許文献１では、案内分岐点において進行可能な全ての道路に対して案内プレートを表示してしまう。したがって、ユーザにとって行動範囲を大きく外れる方向についても案内プレートが表示されてしまう。これにより、ユーザの行動範囲から大きく外れる方向へユーザを誘導してしまう恐れもある。この点でも、特許文献１のナビゲーション装置は、自分のお気に入りとなる施設を見つけることに利用しにくい。
【００１１】
本発明は、この事情に基づいて成されたものであり、その目的とするところは、ユーザが自分のお気に入りとなる施設を新たに見つけやすい施設情報表示装置を提供することにある。
【課題を解決するための手段】
【００１２】
その目的を達成するための本発明は、道路地図を表示する表示部（２０）と、現在位置を取得する現在位置取得手段（４０  Ｓ１、Ｓ７）と、前記現在位置取得手段が取得した現在位置と道路地図データとに基づいて、次に案内を行う案内分岐点を決定する案内分岐点決定手段（４０  Ｓ２）と、ユーザの行動範囲をもとにして定まるエリアに存在し、且つ、前記案内分岐点を通った後に入る進行可能道路を経路に含む施設であって前記ユーザにとっての新規施設について、その新規施設と同じ施設ジャンルの施設と区別可能な特徴を表した施設特徴図形を取得する施設特徴図形取得手段（４０  Ｓ３、Ｓ４）と、前記施設特徴図形を少なくとも一つ含んでいる方面情報図を、前記進行可能道路別に作成する方面情報図作成手段（４０  Ｓ５、Ｓ６）と、現在位置が前記案内分岐点に基づいて定まる表示開始位置に到達したことに基づいて、前記方面情報図を、前記道路地図とともに前記表示部に表示する表示制御手段（４０  Ｓ８−Ｓ１０）とを備えることを特徴とする施設情報表示装置である。
【００１３】
この発明によれば、案内分岐点に近づくと、施設特徴図形を少なくとも一つ含んでいる方面情報図が表示部に表示される。施設特徴図形は、その施設が同じジャンルの施設と区別できる情報であることから、そのユーザにとって新規施設であっても、行ってみようかどうかを判断することができる。
【００１４】
また、文字によってその施設を同じジャンルの施設と区別しようとすると、多くの文字数を必要としてしまい、それを理解するためのユーザの負担が多大になるが、施設特徴図形、すなわち、図形により施設特徴を示しているので、ユーザは容易且つ短時間で施設特徴図形の意味を理解することができる。これらにより、ユーザは、新規施設であっても、施設特徴図形が示す施設が、自分のお気に入りとなりそうな施設かどうかを容易且つ短時間で判断できる。
【００１５】
本発明では、案内分岐点に近づくと、ユーザにとっての新規施設の施設特徴図形を少なくとも一つ含み、進行可能道路別に作成された方面情報図が表示部に表示される。よって、案内分岐点に近づいており、短時間での判断が求められる状況でも、ユーザは、自分のお気に入りとなりそうな新規施設が存在する方向を判断できる。その結果、ユーザは、自分のお気に入りとなる施設を新たに見つけやすくなる。
【００１６】
さらに、施設特徴図形が表示される施設は、ユーザの行動範囲をもとにして定まるエリアに存在する施設であることから、ユーザの行動範囲を大きく外れる施設についての施設特徴図形は表示されない。つまり、ユーザが行く可能性が低い施設についての施設特徴図形は表示されない。よって、ユーザを意図しない施設へ誘導してしまうことも防止できる。これによっても、ユーザは、自分のお気に入りとなる施設を新たに見つけやすくなる。
【図面の簡単な説明】
【００１７】
【図１】本発明の行動提案装置としての機能を備えた車載ナビゲーション装置１の構成を示すブロック図である。
【図２】表示部２０に表示される道路地図と自車位置マーク７０を概念的に示す図である。
【図３】方面情報図を表示する際の処理を示すフローチャートである。
【図４】図３のステップＳ３の処理を詳しく示すフローチャートである。
【図５】図４のステップＳ３１，Ｓ３２による処理を説明する図である。
【図６】図３のステップＳ９で表示する方面情報図１００の表示例である。
【図７】方面情報図１００の拡大図である。
【発明を実施するための形態】
【００１８】
以下、本発明の実施形態を図面に基づいて説明する。図１に示すように、本発明の施設情報表示装置としての機能を備えたナビゲーション装置１は、車両に搭載され、記憶部１０、表示部２０、ＧＰＳ受信機３０、ナビゲーションＥＣＵ４０、無線機５０を備える。
【００１９】
記憶部１０は、書き込み可能な記憶媒体を備えている。この記憶媒体には、道路地図データが記憶されている。道路地図データには、道路形状を示すノード、リンク、リンク別の種々のコスト（距離のコスト、時間のコストなど）、施設に関する種々の情報（以下、施設情報）が含まれる。施設情報には、施設名称、施設の位置、施設ジャンルなどが含まれる。また、後述する施設特徴図形も含まれていることが好ましい。記憶部１０にはユーザの行動履歴として利用する、車両の移動履歴も記憶される。
【００２０】
表示部２０には、道路地図が表示される。また、この道路地図には自車位置を示すマーク（以下、自車位置マーク）７０が表示される（図２参照）。また、表示部２０には、自車位置が案内分岐点に近くなると、その案内分岐点を通って自車が進行可能な方面に存在する施設に関する情報を示した方面情報図１００（図６，７参照）が道路地図に重畳表示される。この方面情報図１００の内容の詳細、表示数、表示タイミングは後述する。
【００２１】
ＧＰＳ受信機３０は、ＧＰＳ人工衛星から送信される信号を受信し、受信した信号をもとに、現在位置の座標を逐次決定する。無線機５０は、車両外部と無線通信を行なって、種々の情報を受信する。受信する情報としては、たとえば、新しくできた施設の施設情報や、既存施設における新サービスの開始を示す情報、新しく取り扱いを開始した商品の情報などがある。
【００２２】
ナビゲーションＥＣＵ４０は、各種の演算処理を行うＣＰＵや、演算処理に用いられるプログラム等が格納されたＲＯＭやフラッシュメモリ、演算の作業領域として機能するＲＡＭを備える。また、外部デバイスとデータのやり取りを行うための入出力インターフェース、およびそれらを接続するバスも備える。このナビゲーションＥＣＵ４０が実行する処理として、記憶部１０の読み書き処理、表示部２０の表示処理がある。また、ナビゲーションＥＣＵ４０は、ＧＰＳ受信機３０が決定した現在位置を逐次取得する。そして、ナビゲーションＥＣＵ４０は、取得した種々の情報に基づいて、表示部２０に、道路地図および自車位置マーク７０を表示する。図２に、表示部２０に表示される道路地図と自車位置マーク７０を概念的に示す。
【００２３】
また、ナビゲーションＥＣＵ４０は、現在位置を逐次、記憶部１０に記憶する。つまり、ナビゲーションＥＣＵ４０は移動履歴を逐次更新する処理も行う。移動履歴は、ユーザ（すなわち運転者）が識別できるときはユーザ別に作成、更新する。
【００２４】
さらに、本実施形態のナビゲーションＥＣＵ４０は、上述の方面情報図１００を表示するための処理も行う。次に、方面情報図１００を表示するためにナビゲーションＥＣＵ４０が実行する処理を図３に基づいて説明する。この図３に示す処理をナビゲーションＥＣＵ４０は周期的に実行する。
【００２５】
ステップＳ１は現在位置取得手段に相当する処理であり、ＧＰＳ受信機３０から現在位置を取得する。ステップＳ２は案内分岐点決定手段に相当する処理であり、案内分岐点を決定する。案内分岐点とは、上述した方面情報図１００を表示する分岐点である。案内分岐点は、自車両が現在走行中の道路において、自車の進行方向前方に存在する分岐点のうちで最も近い分岐点である。ただし、その分岐点において分岐する道路が狭い道路である場合にはその分岐点を除外して案内分岐点を決定してもよい。
【００２６】
ステップＳ３では、方面情報図１００にどの新規施設の施設特徴図形１０１（図６，７参照）を含ませるかを決定する。この処理の詳細を図４に示す。
【００２７】
ステップＳ３１、Ｓ３２で、施設特徴図形１０１を表示する施設を抽出するエリアの絞り込みを行う。ステップＳ３１では、上記エリアを、ユーザの行動範囲に基づいたエリアに絞る一次絞り込みを行う。行動範囲は、記憶部１０に記憶された移動履歴に基づいて決定する。たとえば、移動履歴が存在するリンクを行動範囲とする。なお、行動範囲を決定する移動履歴を過去一定期間に限定してもよい。この行動範囲は、ユーザが識別可能であり、ユーザ別に移動履歴が存在する場合にはユーザ別に決定する。
【００２８】
このステップＳ３１では、施設情報を表示する施設を抽出するエリアを、行動範囲とした各リンク、および、各リンクから予め決定してあるリンク数で到達できるエリアに絞る。なお、以下では絞り込んだエリアを一次絞り込みエリアという。
【００２９】
行動範囲外のエリアであるが、行動範囲とした各ノードから予め決定してあるリンク数で到達できる範囲まで一次絞り込みエリアを広げることで、現時点での行動範囲を少し越えたところにある施設も施設特徴図形１０１を表示する施設とすることができる。
【００３０】
なお、移動履歴を用いず、自宅を中心とする所定の行動半径の円を行動範囲としてもよい。この場合には、施設特徴図形１０１を表示する施設を抽出するエリアを、上記行動半径に一定の長さを加えた半径の円内とする。一定の長さを加えているのも、現時点での行動範囲を少し越えたところにある施設も施設特徴図形１０１を表示する施設とするためである。
【００３１】
図５には、このステップＳ３１、および次に説明するステップＳ３２によるエリアの絞り込みを例示している。図５において符号８０は案内分岐点を示す。図５では、互いに直行する縦横の線分を組み合わせた多角形にて一次絞込みエリアを示しているが、作図の便宜上であり、行動範囲とした各リンクから予め決定してあるリンク数で到達できる範囲を概念的に示したものである。また、一次絞込みエリアは円形の場合もある。
【００３２】
ステップＳ３２では、ステップＳ３１で絞り込んだエリアをさらに狭める。具体的には、一次絞込みエリアを、案内分岐点から時間のコストあるいは距離のコストに対して予め設定されている上限コスト以下で到達できるエリアに絞り込む。さらに、案内分岐点８０を基準点とし、現在位置から案内分岐点８０を通って入ることができる進行可能道路９０の両側に所定角度範囲（たとえば４５度）のエリアに絞り込む。なお、図５では、上限コストによって絞り込んだエリアを円形で示しているが、これも作図の便宜上であり、上限コストによって絞り込んだエリアは、実際には円形とは限らない。
【００３３】
上限コストでエリアを絞り込んでいるのは、進行可能道路９０を経由して到達できる施設であるとしても、遠い施設はユーザが行こうとする可能性は低いからである。また、角度でも絞り込んでいるのは、案内交差点に到達するまでに通ってきた道路やその付近のエリアを除外するためである。ステップＳ３１、Ｓ３２の処理の結果、図５の例では、ハッチングを付したエリアが施設特徴図形１０１を表示する施設を抽出するエリアとなる。
【００３４】
ステップＳ３３では、ステップＳ３１、Ｓ３２の処理により絞り込んだエリアに存在する施設を抽出する。ステップＳ３４では、ステップＳ３３で抽出した施設を、新規施設に該当する施設に絞り込む。この新規施設とは、ユーザにとっての新規であり、その施設をユーザが未訪問であれば新規施設に該当する。加えて、その施設におけるサービス、取り扱い商品がユーザにとって新規であっても新規施設に該当する。もちろん、新しくできた施設であり、このユーザに限らず新規となる施設も、ここでの新規施設に該当する。
【００３５】
ユーザが施設を未訪問であるかどうかは、記憶部１０に記憶された移動履歴に基づいて決定する。その施設におけるサービス、取り扱い商品がユーザにとって新規であるかどうかは、移動履歴から決定したその施設を最後に訪問した日時と、その施設においてサービスが開始された日時、新しい商品の取り扱いを開始した日時と比較して決定する。
【００３６】
ステップＳ３５では、ステップＳ３４で絞り込んだ施設を、施設特徴図形１０１を取得できる施設にさらに絞り込む。施設特徴図形１０１とは、その施設を他の同ジャンルの施設と区別することができる図形であり、また、ここでの図形には文字のみからなるものは含まれない。よって、施設名称を文字で表しただけのものは施設特徴図形には含まれない。一方、写真は図形に含む。また、一部に文字が含まれている図形は文字のみではないことから、ここでの図形に含む。また、その施設を他の同ジャンルの施設と区別することができる図形であることから、地図記号も含まれない。
【００３７】
施設特徴図形としては、たとえば、施設を撮影した写真、施設のマークなどがある。施設を撮影した写真は、施設が建物であれば、建物の外観写真はもちろん、建物内の写真でもよい。外観写真は外観の全体でなく一部分の写真でもよい。建物内の写真は、建物自体の写真でなく、建物内にある家具等の写真でもよい。施設のマークは、その施設のみを示すマークが好ましいが、チェーン店のマークのように複数の施設に共通するマークでもよい。チェーン店のマークでも、同ジャンルのチェーン店以外の施設とは区別できるからである。
【００３８】
施設特徴図形は、記憶部１０など、ナビゲーション装置１が備える記憶装置に記憶されていてもよいし、無線機５０を利用して都度、外部のサーバなどから取得する構成でもよい。ステップＳ３５では、いずれかの装置から施設特徴図形を取得できる施設に絞り込む。
【００３９】
ステップＳ３６では、絞り込んだ施設のうち、渋滞道路を通る施設を除外する。どの道路が渋滞道路であるかは、無線機５０を介して外部から現在の渋滞情報を取得して決める。ただし、頻繁に渋滞する道路を道路地図データに予め記憶しておき、その記憶してある道路を、ここでの渋滞道路としてもよい。
【００４０】
ステップＳ３７では、さらに、進行可能道路毎に規定数に絞る。規定数は、多過ぎると視認性が低下し、少な過ぎると情報量として不足することを考慮して設定された数であり、たとえば３〜４である。ただし、本実施形態では、訪問履歴のある施設の図形等も後の処理で追加して全部で４〜５の施設に関する図形等で方面情報図１００を作成する。訪問履歴のある施設の図形等を追加しない場合には、ここでの規定数を上記数より多くしてもよい。
【００４１】
規定数に絞る際の条件は種々の条件を用いることができる。たとえば、過去に訪問した施設のジャンルと異なるジャンルという条件で絞ることができる。過去に訪問した施設のジャンルは、行動履歴と道路地図データに含まれている施設情報から判断する。上の例とは反対に、過去に頻繁に同じジャンルの施設を訪問していると判断できる場合には、そのジャンルに属する施設に絞ることにしてもよい。
【００４２】
また、それら、過去に訪問した施設のジャンルと異なるジャンルの施設と、頻繁に訪問するジャンルの施設とを混ぜてもよい。また、施設ジャンルではなく、案内分岐点からの距離順で絞り込んでもよい。あるいは、ジャンルでの絞り込みの後に距離順で絞り込んでもよい。あるいは、単にランダムに規定数の施設を選択してもよい。
【００４３】
ステップＳ３７の処理により、図５の例では、案内分岐点８０から進行可能道路９０Ａへ入る方向つまり右折方向と、案内分岐点８０から進行可能道路９０Ｂつまり左折方向にはそれぞれ規定数の施設に絞られる。しかし、図５の例では、案内分岐点８０から直進方向に進行する進行可能道路９０Ｃを通る方向は、ハッチングを付したエリアがほとんどない。そのため、直進方向に存在する施設はほとんど（あるいは全く）抽出されない。
【００４４】
ステップＳ３７で規定数に絞り込んだら図３へ戻り、ステップＳ４を実行する。ステップＳ４では、ステップＳ３で決定した各新規施設の施設特徴図形１０１を取得する。ステップＳ３、Ｓ４が施設特徴図形取得手段に相当する。
【００４５】
続くステップＳ５，Ｓ６は方面情報図作成手段に相当する。ステップＳ５では、訪問履歴のある施設の施設特徴図形１０１を規定数取得し、また、自宅あるいは出発地のいずれか一方または両方の図形も取得する。訪問履歴のある施設の施設特徴図形１０１に対する規定数は、新規施設に対する規定数（図４のステップＳ３７）よりも小さい数となっており、たとえば１である。
【００４６】
訪問履歴のある施設は多数存在するが、訪問履歴のある施設についても、ステップＳ３１、Ｓ３２で絞り込んだエリア内の施設とする。上記エリア内に限定したとしても多くの施設が残ることになるが、この施設は、ユーザに知っている施設を提示することで安心感を与えるための施設である。よって、過去一定期間内で、訪問回数が多いあるいは訪問頻度が高い施設を選択する。
【００４７】
なお、図４で決定した施設のうちのいずれか少なくとも一つが、サービスあるいは商品が新規であり、訪問履歴はある施設だった場合には、その施設をこのステップＳ５における訪問履歴のある施設に加えてもよい。
【００４８】
自宅および出発地も、ユーザに安心感を与える目的でこれらを提示する。よって、どちらか一方でもよい。また、自宅が出発地である場合には、いずれか一方の図形のみを表示する。
【００４９】
ステップＳ６では、ステップＳ４およびステップＳ５で取得した図形を、進行可能道路別にまとめた方面情報図１００を作成する。この方面情報図１００の例を図７に示している。
【００５０】
図７には、２つの方面情報図１００Ａ、１００Ｂを示している。方面情報図１００Ａは、施設Ａ〜Ｄにそれぞれ対応する４つの施設特徴図形１０１Ａ〜１０１Ｄが同じ枠１０２によって囲われた図である。施設特徴図形１０１Ａは施設Ａで販売されている商品の写真、施設特徴図形１０１Ｂは施設Ｂで提供されているメニューの写真、施設特徴図形１０１Ｃは施設Ｃのマーク、施設特徴図形１０１Ｄは施設Ｄの外観写真である。これら施設特徴図形１０１Ａ〜１０１Ｄは、対応する実際の施設と案内分岐点との距離の順に、地図上でも案内分岐点８０側から配置される。
【００５１】
施設特徴図形１０１Ａには、左上に冒険者の図形（以下、単に冒険者）１０３が重畳表示されている。冒険者１０３は、行動範囲外にある施設であることを示すものである。施設特徴図形１０１Ａに冒険者１０３が重畳表示されることにより、ユーザは、施設Ａが行動範囲外であることを知ることができることに加え、施設Ａへ向かう行動が行動範囲を少し広げる小冒険であることも知ることができる。ただし、行動範囲外の施設であることを示す態様は冒険者１０３には限られず、その他の姿の人でもよい。また、施設特徴図形１０１の枠の色あるいは内部の色を、行動範囲内の施設特徴図形１０１と異ならせる等、行動範囲内の施設特徴図形１０１と区別可能な表示態様であれば、他の態様でもよい。
【００５２】
なお、施設特徴図形１０１Ａ〜１０１Ｄは、訪問履歴がある施設かそうでないかを表示態様で区別をしていない。しかし、これらが区別可能な態様で表示してもよい。また、訪問履歴がある施設については、施設特徴図形１０１ではなく、施設名称を文字により表示してもよい。
【００５３】
次に、方面情報図１００Ｂを説明する。方面情報図１００Ｂは、施設Ｅ、Ｆにそれぞれ対応する２つの施設特徴図形１０１Ｅ、１０１Ｆと、自宅図形１０４が同じ枠１０２によって囲われた図である。施設特徴図形１０１Ｅは施設Ｅで販売されている商品の写真、施設特徴図形１０１Ｆは施設Ｆの店内写真である。施設特徴図形１０１Ｅ、１０１Ｆ、自宅図形１０４も、対応する施設Ｅ、Ｆ、自宅と案内分岐点との距離の順に、地図上でも案内分岐点８０側から配置される。
【００５４】
なお、自宅あるいは出発地が図４で決定したエリア内に存在しない場合もある。この場合、それら自宅あるいは出発地を示す図形を表示しないようにしてもよいが、自宅あるいは出発地については上記エリア内になくても、最も自宅あるいは出発地へ向かうのに適した方向に対応する方面情報図１００に自宅あるいは出発地の図形を含ませてもよい。
【００５５】
また、施設特徴図形１０１Ｅには、新しくできた施設であることを示す「ＮＥＷ」の文字が示されている。これにより、新しくできた施設であることが一目で分かる。施設が新しくできると行ってみようと考える者が多いので、このようにそれが分かる表示をすることで、方面情報図１００の有用性が向上する。
【００５６】
また、方面情報図１００Ｂは、他方の方面情報図１００Ａよりも施設特徴図形１０１の数が少ない。方面情報図１００Ｂには行動範囲外の施設についての施設特徴図形１０１は含まれておらず、方面情報図１００Ｂに対応する進行可能道路９０Ｂは自宅へ向かう方面である。換言すれば、本実施形態では、行動範囲外の施設についての施設特徴図形１０１Ａが含まれている方面情報図１００Ａは、その図形が含まれていな方面情報図１００Ｂよりも、施設特徴図形１０１の数を多くしている。行動範囲外に向かう方面に対して多くの情報が示されることで、ユーザは、行動範囲外への向かう方面を選択する可能性が高くなる。これにより、ユーザは、意識をせずとも行動範囲を広げていくことができる。なお、これとは反対に、行動範囲内に向かう方面に対して多くの情報が示すようにしてもよい。この場合には、行動範囲内の施設についての知見をより多くすることができる。また、行動範囲外に向かう方面であるかどうかを考慮せずに、方面情報図１００に含ませる施設情報図形１０１の数を同じにしてもよい。
【００５７】
図３のステップＳ６では、図７で例示したような方面情報図１００を作成する。そのために、ステップＳ４，Ｓ５で取得した施設特徴図形等の図形に対応する施設と案内分岐点との距離の演算を行い、また、新しくできた施設であるかどうかの情報を、無線機５０を介して取得する。新しくできた施設であるかどうかを決定する、施設ができてからの期間は予め設定されており、たとえば１〜３月程度に設定される。
【００５８】
ステップＳ７では、再び、ＧＰＳ受信機３０から現在位置を取得する。ステップＳ８−Ｓ１０は表示制御手段に相当する。ステップＳ８では、ステップＳ７で取得した現在位置が、ステップＳ２で決定した案内分岐点の手前、所定距離である表示開始位置に到達したかを判断する。この判断がＮＯであればステップＳ７へ戻る。
【００５９】
ステップＳ８がＹＥＳとなるとステップＳ９に進み、ステップＳ６で作成済みの方面情報図１００を、表示部２０に表示している道路地図に、どの案内分岐点８０における方面情報図１００であるかが分かる態様で、その方面情報図１００を表示する。
【００６０】
図６に、このステップＳ９で表示する方面情報図１００の表示例を示す。図６の例では、案内分岐点８０およびその付近を拡大した拡大図における進行可能道路９０Ａ、９０Ｂに重畳する位置に、方面情報図１００Ａ、方面情報図１００Ｂが配置されている。
【００６１】
このように方面情報図１００が表示されることで、案内分岐点８０にて右方面に進行した場合にどのような施設があるか、左方面に進行した場合にどのような施設があるかが、すぐに理解できる。また、左方面に行くと自宅に戻れることも分かる。図６における×印は、行動範囲から外れる方向であることを示している。この×印は、ステップＳ３の処理で新規施設が抽出されなかった場合に表示する。また、案内分岐点８０から進行可能道路９０Ｃを走行して一次絞り込みエリアを出るまでの距離が規定距離である場合に、ステップＳ３の処理を行わずに、この×印を表示してもよい。また、×印に限らず、行動範囲を外れることを他の態様で示してもよい。
【００６２】
前述した図７は、この図６の部分拡大図である。なお、ステップＳ９では、上記方面情報図１００に含まれる施設特徴図形１０１に対応する施設が、拡大図ではない道路地図の表示範囲内に存在する場合、方面情報図１００に含ませた施設特徴図形１０１を、拡大図ではない道路地図にも表示する。これにより、その施設特徴図形１０１が示す施設へ容易に到達できる。また、方面情報図１００に含まれる施設特徴図形１０１を選択操作することで、その施設特徴図形１０１が示す施設への経路案内が開始されるようになっていてもよい。
【００６３】
ステップＳ１０では、案内分岐点８０を通過した後、上記方面情報図１００の表示を消去する。その後は、再びステップＳ１に戻る。従って、次の案内分岐点８０の決定、新たな方面情報図１００の作成を行い、その案内分岐点８０が近づくと、新たに作成した方面情報図１００を表示する。
【００６４】
この処理を繰り返すので、表示部２０には、逐次、進行方向前方に設定される案内分岐点８０に近づく毎に、その案内分岐点８０において進行可能な方面にどのような施設があるかが、直感的に理解可能な図形という表示形態で表示される。よって、表示部２０を長時間見ることができない道路走行中においても、案内分岐点８０でどの方向に行こうか、容易に判断することができる。
【００６５】
以上、説明した本実施形態によれば、案内分岐点８０に近づくと、施設特徴図形１０１を少なくとも一つ含んでいる方面情報図１００が表示部２０に表示される。施設特徴図形１０１は、その施設が同じジャンルの施設と区別できる情報であることから、そのユーザにとって新規施設であっても、行ってみようかどうかを判断することができる。
【００６６】
また、文字によってその施設を同じジャンルの施設と区別しようとすると、多くの文字数を必要としてしまい、それを理解するためのユーザの負担が多大になる。しかし、本実施形態では、施設特徴図形１０１、すなわち、図形により施設特徴を示しているので、ユーザは容易且つ短時間で施設特徴図形の意味を理解することができる。これらにより、ユーザは、新規施設であっても、施設特徴図形１０１が示す施設が、自分のお気に入りとなりそうな施設かどうかを容易且つ短時間で判断できる。
【００６７】
案内分岐点８０に近づくと、進行可能道路別に作成された方面情報図１００が表示部２０に表示されるので、案内分岐点８０に近づいており、短時間での判断が求められる状況でも、ユーザは、自分のお気に入りとなりそうな新規施設が存在する方向を判断できる。その結果、ユーザは、自分のお気に入りとなる施設を新たに見つけやすくなる。
【００６８】
さらに、施設特徴図形１０１が表示される施設は、ユーザの行動範囲をもとにして定まるエリアに存在する施設であることから、ユーザの行動範囲を大きく外れる施設についての施設特徴図形１０１は表示されない。つまり、ユーザが行く可能性が低い施設についての施設特徴図形１０１は表示されない。よって、ユーザを意図しない施設へ誘導してしまうことも防止できる。これによっても、ユーザは、自分のお気に入りとなる施設を新たに見つけやすくなる。
【００６９】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００７０】
（変形例１）
図３のステップＳ６で作成する施設特徴図形１０１の大きさを、案内分岐点８０からの距離が近いほど大きい図形として方面情報図１００を作成してもよい。このようにすると、施設特徴図形１０１の大きさにより、その施設特徴図形１０１に対応する施設までの距離が分かる。また、その同じ施設に対する施設特徴図形１０１の大きさの変化から、だんだん近づいてきていることも分かる。
【００７１】
（変形例２）
前述の実施形態では、行動範囲外の施設に対する施設特徴図形１０１が、行動範囲内の施設に対する施設特徴図形と区別可能になっていたが、この区別がされなくてもよい。
【００７２】
（変形例３）
前述の実施形態では、車両に搭載されるナビゲーション装置１が施設情報表示装置としての機能を備えていたが、施設情報表示装置は車両に搭載される必要はなく、車両に持ち込まれて使用される装置でもよい。また、車両で使用されなくてもよい。
【符号の説明】
【００７３】
１：ナビゲーション装置（施設情報表示装置）、      １０：記憶部、      ２０：表示部、      ３０：ＧＰＳ受信機、      ４０：ナビゲーションＥＣＵ、      ５０：無線機、      ７０：自車位置マーク、      ８０：案内分岐点、      ９０：進行可能道路、      １００：方面情報図、      １０１：施設特徴図形、      １０２：枠、      １０３：冒険者の図形、      １０４：自宅図形
【図１】
2014106045.tif 000003
【図２】
2014106045.tif 000004
【図３】
2014106045.tif 000005
【図４】
2014106045.tif 000006
【図５】
2014106045.tif 000007
【図６】
2014106045.tif 000008
【図７】
2014106045.tif 000009